【手続補正書】
【提出日】平成16年3月31日(2004.3.31)
【手続補正１】
【補正対象書類名】明細書
【補正対象項目名】発明の名称
【補正方法】変更
【補正の内容】
【発明の名称】スプレーパイプ取付構造及びスプレーパイプ用キャップ
【手続補正２】
【補正対象書類名】明細書
【補正対象項目名】特許請求の範囲
【補正方法】変更
【補正の内容】
【特許請求の範囲】
【請求項１】
処理槽に対で設けられた側板の間に掛け渡され、処理液を噴射口から噴射するスプレーパイプを備えた感光材料処理装置のスプレーパイプ取付構造において、
前記一対の側板のうちの一方の側板の前記スプレーパイプの取付け位置に設けられて取付孔が形成された取付部と、
前記取付孔に挿入される軸部、前記スプレーパイプの一方の開口部へ圧入される栓部及び、前記軸部の周囲を囲う弾性部材が一体に形成されたスプレーパイプ用キャップと、を備え、前記栓部を前記スプレーパイプの一方の開口部に圧入した前記スプレーパイプ用キャップを、前記取付孔の周縁部に前記弾性部材を押し付けて弾性変形させながら前記軸部を前記取付孔へ挿入したことを特徴とするスプレーパイプ取付構造。
【請求項２】
処理槽に対で設けられた側板の間に掛け渡され、処理液を噴射口から噴射するスプレーパイプを備えた感光材料処理装置のスプレーパイプ取付構造において、
前記一対の側板のうちの一方の側板に突設された受部と、
前記受部に突設され前記処理液が通る貫通孔が形成されたボスと、
前記受部の前記ボスに対向して前記一方の側板に設けられ受部との間に配置される前記スプレーパイプが接続されるノズルケースを保持可能とするブラケットと、
弾性部材によって形成されて前記ノズルケースの前記ボス側に配置されボスと係合されることによ貫通孔を通過した前記処理液をノズルケース内に導入可能とするノズルケース用キャップと、
を備え、前記ノズルケース用キャップを弾性変形させて前記ノズルケースを前記受部と前記ブラケットの間に配置することを特徴とする感光材料処理装置のスプレーパイプ取付構造。
【請求項３】
スプレーパイプの一方の開口部に圧入されることにより閉塞可能とする栓部と、
前記栓部側から反栓部方向へ向けて突出された軸部と、
前記栓部側から前記軸部の突出方向へ向け軸部の周囲を囲うように延設され軸部が取付孔に挿入されるときに取付け孔の周縁部に当接して弾性変形することにより復元力によって前記栓部を付勢可能とする弾性部材と、
が一体成形されていることを特徴とするスプレーパイプ用キャップ。
【請求項４】
前記弾性部材の前記栓部側が、前記栓部が圧入される前記スプレーパイプの開口部の外周部を囲うことを特徴とする請求項３に記載のスプレーパイプ用キャップ。
【請求項５】
前記軸部の内部に硬質部材を埋め込んでいることを特徴とする請求項３又は請求項４に記載のスプレーパイプ用キャップ。
【手続補正３】
【補正対象書類名】明細書
【補正対象項目名】０００１
【補正方法】変更
【補正の内容】
【０００１】
【発明の属する技術分野】
本発明は、感光材料を処理する感光材料処理装置のスプレーパイプ取付構造及び、スプレーパイプの取付けに用いるスプレーパイプ用キャップに関する。


【手続補正４】
【補正対象書類名】明細書
【補正対象項目名】００１０
【補正方法】変更
【補正の内容】
【００１０】
本発明は上記事実を考慮し、部品点数の削減を図り、スプリングを不要とすると共に、組立工数を削減するスプレーパイプ取付構造及びスプレーパイプ用キャップを提供することを目的とする。


【手続補正５】
【補正対象書類名】明細書
【補正対象項目名】００１１
【補正方法】変更
【補正の内容】
【００１１】
【課題を解決するための手段】
請求項１に記載の発明では、処理液を噴射口から噴射するスプレーパイプが、処理槽に設けられている一対の側板の間に掛け渡されて固定される。一方の側板には、取付孔が形成された取付部が設けられており、スプレーパイプ用キャップの軸部が挿入される。また、スプレーパイプ用キャップには、スプレーパイプの一方の開口部へ圧入される栓部を備えており、このスプレーパイプ用キャップを介してスプレーパイプの一端側が一方の側板に固定される。


【手続補正６】
【補正対象書類名】明細書
【補正対象項目名】００１２
【補正方法】変更
【補正の内容】
【００１２】
さらに、スプレーパイプ用キャップには、軸部を内側に囲い込む弾性部材が設けられており、側板に押し付けられて弾性変形し復元力が蓄積される。


【手続補正７】
【補正対象書類名】明細書
【補正対象項目名】００１３
【補正方法】変更
【補正の内容】
【００１３】
このような構成により、スプレーパイプ用キャップの栓部をスプレーパイプの一方の開口部へ圧入し、弾性部材を側板に押し付けて弾性変形させながら、軸部を一方の側板の取付孔へ差し込む。そして、弾性部材の復元力を利用し、処理液をスプレーパイプへ供給する供給管の吐出口へスプレーパイプの他端側を挿入固定する。


【手続補正８】
【補正対象書類名】明細書
【補正対象項目名】００１４
【補正方法】変更
【補正の内容】
【００１４】
すなわち、本発明では、スプレーパイプの一端側がスプレーパイプ用キャップのみで一方の側板に固定されるので、従来のようにスプレーパイプが挿入されるソケットも必要としないので、部品点数が削減でき、スプレーパイプの分解洗浄作業が簡単にできる。また、スプレーパイプ用キャップの弾性部材の弾性力を利用することで、金属製のスプリングも不要となる。


【手続補正９】
【補正対象書類名】明細書
【補正対象項目名】００１６
【補正方法】変更
【補正の内容】
【００１６】
スプレーパイプへの処理液供給側の側板には、受部が設けられており、この受部には、処理液が通る貫通孔を上下方向に備えたボスが形成されている。また、側板には、ボスの上方にブラケットが設けられている。


【手続補正１０】
【補正対象書類名】明細書
【補正対象項目名】００１７
【補正方法】変更
【補正の内容】
【００１７】
そして、スプレーパイプが接続されるノズルケースには、弾性材から成るノズルケース用キャップが取り付けられており、このノズルケース用キャップをボスに係合させ、ノズルケース用キャップを弾性変形させながらノズルケースを受部とブラケットの間に配置することにより、ノズルケースをブラケットとの間で挟持する。すなわち、弾性材から成るノズルケース用キャップの弾性変形を利用することで、ワンタッチでノズルケースをブラケットとボスの間に組付けることができる。このため、ノズルケースをビス等を用いて側板に固定する必要がなくなり、組立工数を削減することができる。
このような本発明に適用されるスプレーパイプ用キャップは、スプレーパイプの一方の開口部に圧入されることにより閉塞可能とする栓部と、前記栓部側から反栓部方向へ向けて突出された軸部と、前記栓部側から前記軸部の突出方向へ向け軸部の周囲を囲うように延設され軸部が取付孔に挿入されるときに取付け孔の周縁部に当接して弾性変形することにより復元力によって前記栓部を付勢可能とする弾性部材と、が一体成形されたものを適用できる。
また、スプレーパイプ用キャップは、前記弾性部材の前記栓部側が、前記栓部が圧入される前記スプレーパイプの開口部の外周部を囲う構造であることが好ましく、スプレーパイプ用キャップには、前記軸部の内部に硬質部材を埋め込むことがより好ましい。
【手続補正１１】
【補正対象書類名】明細書
【補正対象項目名】符号の説明
【補正方法】変更
【補正の内容】
【符号の説明】
５８    スプレーパイプ
６２    スプレーパイプ
２７０Ａ  ステップ面
２８４  取付孔
２８６  キャップ（スプレーパイプ用キャップ）
２８８  軸部
２９０  栓部
２９４  スカート部（弾性部材）
３２０  ボス
３２２  ブラケット
３２４  ノズルケース
３３０  キャップ